(57)【要約】【課題】吸込口体によれば、安定かつ確実に水の生成ができ、常に被清掃面を水拭きしたように綺麗に仕上げることができる吸込口体を提供する。【解決手段】本吸込口体は、床面の塵埃を掻き上げあるいは磨きあげる回転清掃体と、この回転清掃体が配置される回転清掃体室と、この回転清掃体室から電気掃除機本体まで連通する連通風路を有し、回転清掃体室内に、ペルチェ効果を利用し、電流が流れるとその表面の温度が低温になる低温面と、高温になる高温面が表裏一体に形成されたペルチェ素子を設け、このペルチェ素子は、回転清掃体の最大径方向の先端部が前記低温面に接触するように配置される。【選択図】  図２
2010075538.tif 000002
【特許請求の範囲】
【請求項１】
床面の塵埃を掻き上げあるいは磨きあげる回転清掃体と、この回転清掃体が配置される回転清掃体室と、この回転清掃体室から電気掃除機本体まで連通する連通風路を有する電気掃除機の吸込口体において、
前記回転清掃体室内に、ペルチェ効果を利用し、電流が流れるとその表面の温度が低温になる低温面と、高温になる高温面が表裏一体に形成されたペルチェ素子を設け、
このペルチェ素子は、前記回転清掃体の最大径方向の先端部が前記低温面に接触するように配置されることを特徴とする吸込口体。
【請求項２】
前記高温面に放熱手段を設け、この放熱手段を前記回転清掃体室まで延長して設け、前記高温面を冷却することを特徴とする請求項１に記載の吸込口体。
【請求項３】
前記放熱手段に、前記回転清掃体の清掃部材先端部を接触させることを特徴とする請求項１または２に記載の吸込口体。
【請求項４】
前記放熱手段は前記低温面側を挟んで両側に配置されることを特徴とする請求項２または３に記載の吸込口体。
【請求項５】
請求項１ないし４のいずれか１項に記載の吸込口体を備えた電気掃除機。
【発明の詳細な説明】
【技術分野】
【０００１】
本発明は吸込口体およびこれを用いた電気掃除機に係り、特にペルチェ効果に生成される露水を回転清掃体に供給する吸込口体および電気掃除機に関する。
【背景技術】
【０００２】
従来、電気掃除機に用いる吸込口体には、被清掃面と接するように起毛布を取付け、この吸込口体を前後方向に摺動させて、被清掃面上の塵埃を吸込開口を介して本体内空間に取込むとともに、被清掃面を起毛布により拭き掃除する構成をなす。
【０００３】
この種の吸込口体は、起毛布を巻きつけた円筒ローラと、この円筒ローラの両端部に一体化されて吸込口体本体に回転自在に直接支持される支持部とから構成した起毛布ローラ体を備える。
【０００４】
また、被清掃面を水気を帯びた拭取り体により拭き掃除を行うことができる吸込口体が提案されている（例えば、特許文献１参照）。
【０００５】
この特許文献１に記載の吸込口体は、回転拭取体に被清掃面と接するように設けられた高吸湿性繊維を含んで作られる拭き部材及び固定拭き部材が空気中の水分を吸収して湿り気を帯びさせ、人為的に水を供給する手間をかけることなく湿り気を帯びた拭き部材で被清掃面を拭き掃除するものである。しかしながら、特許文献１に記載の吸込口体は、高吸湿性繊維を用いて空気中の水分を吸収するため、水分の確保が不十分で不安定になる場合がある。
【特許文献１】特開２００４−１４７６６９号公報
【発明の開示】
【発明が解決しようとする課題】
【０００６】
本発明は上述した事情を考慮してなされたもので、安定かつ確実に水の生成ができ、常に被清掃面を水拭きしたように綺麗に仕上げることができる吸込口体および電気掃除機を提供することを目的とする。
【課題を解決するための手段】
【０００７】
上述した目的を達成するため、本発明に係る吸込口体は、床面の塵埃を掻き上げあるいは磨きあげる回転清掃体と、この回転清掃体が配置される回転清掃体室と、この回転清掃体室から電気掃除機本体まで連通する連通風路を有する電気掃除機の吸込口体において、前記回転清掃体室内に、ペルチェ効果を利用し、電流が流れるとその表面の温度が低温になる低温面と、高温になる高温面が表裏一体に形成されたペルチェ素子を設け、このペルチェ素子は、前記回転清掃体の最大径方向の先端部が前記低温面に接触するように配置されることを特徴とする。
【０００８】
また、本発明に係る電気掃除機は上記吸込口体を備える。
【発明の効果】
【０００９】
本発明に係る吸込口体によれば、安定かつ確実に水の生成ができ、常に被清掃面を水拭きしたように綺麗に仕上げることができる吸込口体を提供することを目的とする。
【００１０】
また、本発明に係る電気掃除機によれば、安定かつ確実に水の生成ができ、常に被清掃面を水拭きしたように綺麗に仕上げることができる電気掃除機を提供することを目的とする。
【発明を実施するための最良の形態】
【００１１】
本発明の一実施形態に係る吸込口体および電気掃除機について図面を参照して説明する。
【００１２】
図１は本発明の一実施形態の電気掃除機の斜視図であり、図２は本吸込口体の縦断面図である。
【００１３】
図１に示すように、本実施形態の電気掃除機３１は、掃除機本体３２を備え、この掃除機本体３２は、内部に収容された電動送風機（図示せず）の駆動にて生じる吸気風とともに吸い込んだ塵埃を、集塵部に捕集する。
【００１４】
また、掃除機本体３２には、電動送風機の動作を制御する制御手段としての制御回路（図示せず）が収容されているとともに、外部から空気を吸引する本体吸込口３２ａが前部に開口される。この本体吸込口３２ａには、可擁性を有し湾曲可能な細長略円筒状のホース体３３が連通接続される。
【００１５】
このホース体３３の先端には、電動送風機の動作モードなどが選択可能な手元操作部３４が設けられる。この手元操作部３４には、掃除する際に作業者が把持する把持部３５が基端側に向けて突設され、この把持部３５には、制御回路に所定の信号を送信して掃除機本体３２内の電動送風機などを複数の動作モードに設定する複数の設定ボタン３６が設けられる。
【００１６】
さらに、手元操作部３４の先端には、伸縮自在な細長略円筒状の延長管３７が着脱自在に連通接続される。すなわち、延長管３７は、ホース体３３を介して電動送風機の吸込側に連通接続される。また、この延長管３７の先端には、例えば室内の被掃除面としての床面の絨毯などの上に載置させて、この絨毯上の塵埃を吸い込む本発明の吸込口体（床ブラシ）１が着脱自在に連通接続される。
【００１７】
従って、吸込口体１は、延長管３７、ホース体３３および本体吸込口３２ａを介して、電動送風機の吸込側に連通接続される。
【００１８】
図２に示すように、吸込口体１は、吸込口体本体としての横長のケース体２と、このケース体２の後部に設けられた接続管３とを備える。
【００１９】
ケース体２は、上側が開放されケース体２の下部をなす下ケース４と、この下ケース４の上部の後側を覆い、下ケース４との間で接続管３を回転自在に挟持する上ケース５と、この上ケース５の前部に取り付けられた蓋部としての前カバー６を備え、この前カバー６の前面には、緩衝部材６ａが設けられる。
【００２０】
下ケース４には床面の塵埃を掻き上げあるいは磨きあげる回転清掃体７が配置される回転清掃体室８と、この回転清掃体室８の前方に位置し、前側回転ローラ９が配置される前側回転ローラ室１０と、回転清掃体室８の後方に位置し、後側回転ローラ１１が配置される後側回転ローラ室１２とが設けられる。
【００２１】
前側回転ローラ９および後側回転ローラ１１は、いずれも断面ほぼ半円状のローラ９ａ、１１ａに同じく半円状の起毛布９ｂが卷装され、両端に床に接する起毛布の車輪９ｃ、１１ｃが設けられる。
【００２２】
さらに、回転清掃体室８は下ケース４と上ケース５間に設けられる区画壁１３によって画定され、この区画壁１３に設けた通気口１３ａを介して、ケース体２に設けた吸込室１４に連通し、吸込室１４は接続管３に連通する。
【００２３】
従って、回転清掃体室８は吸込室１４、接続管３を介して延長管３７に連通接続される。
【００２４】
また、回転清掃体７は両側を連結軸（図示せず）で回転支持され、清掃体回転用モータ１５（図４）により回転され、さらに、回転清掃体７は金属、あるいは合成樹脂などにより形成される略円柱状の取付部材７ａを備え、この取付部材７ａの外周面には、周方向に略均等に螺旋状に溝部７ａ１が形成され、この溝部７ａ１に幅広清掃部材７ｂ、幅狭清掃部材７ｃの基端側が保持され、複数の幅広清掃部材７ｂ、幅狭清掃部材７ｃが十字状に取り付けられる。
【００２５】
幅広清掃部材７ｂは幅狭清掃部材７ｃに比べて大きな幅（径）を有し、最大径をなし、２枚直線状に配される。一方、幅狭清掃部材７ｃは最小径をなし、２枚直線状に配される。
【００２６】
なお、本実施形態では、複数の清掃部材に大径と小径の２種類としたが、１種類とし、いずれも最大径のものに統一した回転清掃体を用いてもよい。
【００２７】
さらに、回転清掃体室８の上部には、ペルチェ素子１６が設けられる。このペルチェ素子１６は、ペルチェ効果を利用し、電流が流れるとその表面の温度が低温になる低温面１６ａと、高温になる高温面１６ｂが表裏一体に形成される。
【００２８】
そして、ペルチェ素子１６は、回転清掃体７の回転時、幅広清掃部材７ｂの最大径方向の先端部７ｂ１が低温面１６ａに接触するように配置される。
【００２９】
低温面１６ａは、例えばガラス等の熱伝導性がよく、表面粗さが細かい部材で形成する。
【００３０】
一方、高温面１６ｂには、この高温面１６ｂを冷却する放熱手段としての放熱フィン１７が設けられ、この放熱フィン１７は回転清掃体室８まで略ハ字状の円弧状部１７ａを設けて延長され、高温面１６ｂの冷却を促進する。
【００３１】
さらに、放熱フィン１７は幅広清掃部材７ｂの先端部７ｂ１が、円弧状部１７ａに接触するように配置される。
【００３２】
ここで、ペルチェ効果と、このペルチェ効果を利用したペルチェ素子について説明する。
【００３３】
図３に示すように、直流電源をつなぐと、電流はＮ型半導体の下側から上部の電極を通ってＰ型半導体の下側へ流れる。エネルギーは電子と共にこれとは逆の方向に移動し、Ｎ型半導体では、電子が上部の電極からN型半導体に移動するためのエネルギーと、Ｎ型半導体の内部を下部の電極まで移動するためのエネルギーを上部の電極側から得るため、その結果上部の電極側でエネルギーが不足し、温度を下げる。
【００３４】
これに対して下部の電極側では電子が奪ったエネルギーを放出して暖まる。また、Ｐ型半導体では、正孔が同様の働きをする。
【００３５】
その結果、冷却面で吸収する総熱量が総供給電力（Ｗ）に相当する熱量と合算され、放熱側に放出される。熱の吸収（冷却効果）は、電流及びチップ（半導体）の数に比例する。また、放熱側の温度を下げることで、冷却面の温度を下げることができる。
【００３６】
図４に示すように、ペルチェ素子１６は清掃体回転用モータ１５と並列に掃除機本体３２内に設け、２次電池からなる直流電源Ｐに接続され、清掃体回転用モータ１５と直流電源Ｐ間には第１のスイッチ１８が設けられ、この第１のスイッチ１８とペルチェ素子１６間には第２のスイッチ１９が設けられる。
【００３７】
なお、図２中符号２０はケース体２の下部に設けられる後車輪である。
【００３８】
次に本発明に係る電気掃除機を用いた掃除について説明する。
【００３９】
図１に示すように、掃除機本体３２の本体吸込口３２ａに、ホース体３３、延長管３７および吸込口体１が順次接続された電気掃除機３１を用い、設定ボタン３６を選択して動作モードを選択する。
【００４０】
回転清掃体７を乾燥状態で使用する通常の動作モードが選択されると、電動送風機が回転するとともに、図４に示す第１のスイッチ１８がＯＮになり、回転清掃体７が回転して、被掃除面を掃除する。
【００４１】
電動送風機が回転するとともに、図４に示す第１のスイッチ１８をＯＮにすることで、回転清掃体７が回転して、被掃除面を掃除する。このとき第２のスイッチ１９はＯＦＦ状態にあり、ペルチェ素子１６は動作しない。
【００４２】
一方、回転清掃体７の回転に伴い、幅広清掃部材７ｂ、幅狭清掃部材７ｃが床面の塵埃を掻き取って通気口１３ａ、吸込室１４を介して接続管３へと運ばれる。
【００４３】
これに対して、回転清掃体７を濡らした状態で使用する動作モードが選択されると、電動送風機が回転するとともに、図３に示す第１のスイッチ１８がＯＮになり、回転清掃体７が回転し、さらに、第２のスイッチ１９もＯＮ状態になり、ペルチェ素子１６に直流電流が印加される。
【００４４】
ペルチェ素子１６に直流電流が印加されと、ペルチェ効果により、低温面１６ａが露点以下に冷却され、低温面１６ａに露が付着し水が生成される。回転清掃体７は回転状態にあり、この回転に伴って、幅広清掃部材７ｂの最大径方向の先端部７ｂ１が、低温面１６ａに接触するため、幅広清掃部材７ｂが水に濡れた状態になり、回転清掃体７の回転により、被清掃面を水に濡れた幅広清掃部材７ｂの先端部７ｂ１で拭き掃除が行なわれる。
【００４５】
これにより、特別に水を補給することなしに被清掃面特にフローリングの床面を水拭きしたように綺麗に磨くことができる。また、外部から水を補給することなしに、本動作モード中、ペルチェ素子１６の低温面１６ａには、安定かつ確実に水が生成され、幅広清掃部材７ｂに給水される。
【００４６】
また、本動作モードでは、放熱フィン１７が回転清掃体室８まで延長しているので、回転清掃体室８内を流れる空気流によって冷却され、さらに、放熱フィン１７を小型にすることができる。
【００４７】
さらに、幅広清掃部材７ｂの先端部７ｂ１が、放熱フィン１７の円弧状部１７ａの近くにあると、ペルチェ素子１６によって湿り気を帯びた幅広清掃部材７ｂは熱くなった放熱フィン１７によって、運転停止時その湿り気が乾燥される。
【００４８】
また、幅広清掃部材７ｂの先端部７ｂ１が、放熱フィン１７の円弧状部１７ａに接触すると、上記のように運転停止時その湿り気が乾燥されるとともに、通常の動作モードの掃除中に、幅広清掃部材７ｂに付着した塵埃を弾き飛ばす効果がある。
【００４９】
なお、放熱フィン１７は通常アルミ等の金属が使用されることが多く、先端の固い幅広清掃部材であっても、相手が磨耗することがなく、寿命的に問題は少ない。
【００５０】
本実施形態の吸込口体によれば、安定かつ確実に水の生成ができ、常に被清掃面を水拭きしたように綺麗に仕上げることができる吸込口体が実現される。
【００５１】
また、本実施形態の電気掃除機によれば、安定かつ確実に水の生成ができ、常に被清掃面を水拭きしたように綺麗に仕上げることができる電気掃除機が実現される。
【図面の簡単な説明】
【００５２】
【図１】本発明の一実施形態の電気掃除機の斜視図。
【図２】本発明の一実施形態の本吸込口体の縦断面図。
【図３】本発明の一実施形態の本吸込口体に用いるペルチェ素子の概念図。
【図４】本発明の一実施形態の本吸込口体に用いる電気回路の概念図。
【符号の説明】
【００５３】
１  吸込口体
２  ケース体
３  接続管
４  下ケース
５  上ケース
６  前カバー
７  回転清掃体
７ａ  取付部材
７ａ１  溝部
７ｂ  幅広清掃部材
７ｂ１  先端部
７ｃ  幅狭清掃部材
８  回転清掃体室
９  前側回転ローラ
１３  区画壁
１３ａ  通気口
１４  吸込室
１５  清掃体回転用モータ
１６  ペルチェ素子
１６ａ  低温面
１６ｂ  高温面
１７  放熱フィン
１７ａ  円弧状部
１８  第１のスイッチ
１９  第２のスイッチ
Ｐ  直流電源
３１  電気掃除機
３２  掃除機本体
３３  ホース体
３４  手元操作部
３７  延長管
【図１】
2010075538.tif 000003
【図２】
2010075538.tif 000004
【図３】
2010075538.tif 000005
【図４】
2010075538.tif 000006